(57)【要約】【課題】ステープルの脚部の折り曲げ作動終了直後に容易に固定プレート５を抜き出す。【解決手段】紙押え用テーブル８を先端に有し、側面に固定ピン１３を突出したテーブルリンク３と、スライドして固定ピン１３に係合してテーブルリンク３を紙押え状態にロックする固定プレート５と、テーブル８と被綴り用紙ａをはさんで反対側からテーブル８に向かってステープルを打ち出すドライバ２と、ベースに回動自在に設けられて紙押え状態のテーブルリンク３の可動クリンチャ１２を、ドライバ２と反対側から押圧し、被綴り用紙ａを貫通したステープルの脚部を折り曲げるクリンチャリンク２５と、クリンチャリンク２５を押圧して作動させるクリンチレバー２６と、クリンチレバー２６によるクリンチャリンク２５に対する押圧を一時的に軽減する押圧軽減手段とを備えた。【選択図】図１
2005059338.tif 000002
【特許請求の範囲】
【請求項１】
ベースに回動自在に設けられて可動クリンチャを備えた紙押え用テーブルを先端に有し、側面に固定ピンを突出したテーブルリンクと、
上記固定ピンに対し楔状にスライド可能に設けられ、上記固定ピンに係合してテーブルリンクを紙押え状態にロックする固定プレートと、
上記テーブルに押えられた被綴り用紙をはさんで反対側から上記テーブルに向かってステープルを打ち出すドライバと、
上記ベースに回動自在に設けられて上記紙押え状態のテーブルリンクの可動クリンチャを、上記ドライバと反対側から押圧し、上記被綴り用紙を貫通したステープルの脚部を折り曲げるクリンチャリンクと、
上記クリンチャリンクを押圧して作動させるクリンチレバーと、
上記クリンチレバーによるクリンチャリンクに対する押圧を一時的に軽減する押圧軽減手段と
を備えたことを特徴とするステープラにおける紙押えテーブルのロック機構。
【請求項２】
前記押圧軽減手段は、周縁部でクリンチレバーに係合する扇形カムで、この扇形カムの周縁部に、クリンチレバーに対する逃がし部を形成し、クリンチレバーが逃がし部に係合したとき、クリンチャリンクに対する押圧を軽減する、請求項１記載のステープラにおける紙押えテーブルのロック機構。
【発明の詳細な説明】
【技術分野】
【０００１】
本発明は、綴り用の紙がセットされたテーブルを紙押え状態に固定し、上記紙を貫通したステープルの脚部を折り曲げた直後に上記固定を解除する、ステープラにおける紙押えテーブルのロック機構に関するものである。
【背景技術】
【０００２】
一般のステープラにおいて、複数枚の紙を綴じるためには、綴り用テーブルとステープルを打出すユニットとの間にセットされた紙を強く押圧して挟みつけ、この状態を固定した後にステープルを打ち出して紙を貫通させ、さらにクリンチャによって貫通したステープルの脚部を折り曲げてクリンチすることが必要である。
【０００３】
このようなロック機構として、特許文献１が知られている。
【０００４】
同文献１の図４に示されるように、固定ピン３９は固定プレート３６の弓形スロット３８に係合しているが、スロット３８の湾曲の半径の増加が固定する楔作用がスロット３８の壁と固定・ピン３９との間で起こるように選択されるので、ステープラヘッド１２が、それが回動ピン１３の回りで上方へ振り動かされ得ないため、作業位置に固定される。
【０００５】
しかし、スロット３８の壁と固定ピン３９との間に楔作用が生じたときは、両者間の摩擦抵抗は非常に大きいので、固定後に固定プレート３６を元の位置に回動させるには、大きなエネルギーが必要である。したがって、固定プレート３６を回動させる力がバネであるときは強いバネ力が、電気であるときは大きな電力が必要となる。
【特許文献１】特許第２６８８１１４号
【発明の開示】
【発明が解決しようとする課題】
【０００６】
前記問題点を解消するため、本発明は、ステープルの脚部の折り曲げ作動終了直後に、ステープル折り曲げのための力を一時的に軽減することにより、容易に固定プレートを抜き出すことができるステープラにおける紙押えテーブルのロック機構を提供することをその課題とする。
【課題を解決するための手段】
【０００７】
前記課題を解決するため、本発明に係るステープラにおける紙押えテーブルのロック機構は、ベースに回動自在に設けられて可動クリンチャを備えた紙押え用テーブルを先端に有し、側面に固定ピンを突出したテーブルリンクと、上記固定ピンに対し楔状にスライド可能に設けられ、上記固定ピンに係合してテーブルリンクを紙押え状態にロックする固定プレートと、上記テーブルに押えられた被綴り用紙をはさんで反対側から上記テーブルに向かってステープルを打ち出すドライバと、上記ベースに回動自在に設けられて上記紙押え状態のテーブルリンクの可動クリンチャを、上記ドライバと反対側から押圧し、上記被綴り用紙を貫通したステープルの脚部を折り曲げるクリンチャリンクと、上記クリンチャリンクを押圧して作動させるクリンチレバーと、上記クリンチレバーによるクリンチャリンクに対する押圧を一時的に軽減する押圧軽減手段とを備えたことを特徴とする。
【０００８】
なお、前記押圧軽減手段は、周縁部でクリンチレバーに係合する扇形カムで、この扇形カムの周縁部に、クリンチレバーに対する逃がし部を形成し、クリンチレバーが逃がし部に係合したとき、クリンチャリンクに対する押圧を軽減するのが好ましい。
【発明の効果】
【０００９】
請求項１に係る発明によれば、クリンチレバーがクリンチャリンクを作動させて被綴り用紙を貫通したステープルの脚部の折り曲げ作動を終了した直後に、上記押圧軽減手段により、上記クリンチレバーによるクリンチャリンクに対する押圧を一時的に軽減するので、ドライバプレートからの押圧力をクリンチャがまだ受けている状態でクリンチャが逃げる。このため、ドライバプレートとクリンチャリンクとの間には緩みが発生する。この緩み分だけ固定プレートは引き抜きやすくなる。このタイミングで固定プレートを引き抜くように設定すれば、簡単に引き抜いて初期位置に移動させることができる。
【００１０】
請求項２に係る発明によれば、扇形カムの逃がし部に、クリンチレバーが係合したとき、クリンチャリンクに対する押圧を軽減することができるので、簡単な構造により固定プレートの引き抜きを容易にすることができる。
【実施例】
【００１１】
図１は本発明機構の一実施例の断面図であって、同図には電動ステープラのテーブルロック機構Ａとクリンチ機構Ｂとが開示されている。テーブルロック機構Ａは、被綴り用紙ａを所定位置にセットしたときに、テーブル８を上記被綴り用紙ａに押し付けて押えるための機構であり、テーブルリンク３とリターン用リンク４と固定プレート５とテーブル固定リンク６と固定カム７とから構成されている。これに対し、クリンチ機構Ｂは、紙押え状態でステープルを上記被綴り用紙ａに打ち込み、打ち込みによって被綴り用紙ａを貫通したステープルの脚部を折り曲げるための機構であり、クリンチャリンク２５とクリンチレバー２６とクリンチカム２７とから構成されている。
【００１２】
次に、テーブルロック機構を図２〜図５によって順次説明する。なお、１０は上記両機構を設けたベースプレートで、２枚が平行に設けられている。また、綴り台１はベースプレート１０の前部の上部に固定されている。綴り台１の下からは上方に向かって略直動するように設けられたドライバ２が駆動され、このドライバ２によってテーブル８に押えられた被綴り用紙ａにステープルを打ち出すように構成されている。上記テーブルロック機構、クリンチ機構及びドライバ駆動機構はいずれも同一のモータによって作動するように設けられている。また、ステープルは脚部が上向きになった状態でテーブル８に順次供給されるように構成されている。
【００１３】
テーブルリンク３は略Ｚ字形に形成され、前端にはテーブル８が設けられ、後端はベースプレート１０の後部の上部に設けられた軸受に突軸９を軸受けさせて回動自在に支持されている。なお、テーブル８は上記綴り台１の上にセットされた被綴り用紙ａの上部を押えるとともに、上記紙ａを貫通したステープル１１の脚部を折り曲げるための可動クリンチャ１２〈図１参照〉を有している。また、テーブルリンク３の側面には固定ピン１３が突出形成されている。なお、テーブルリンク３は後述のクリンチャリンクとともに、バネ〈図示せず〉によって下方に回動するように付勢されている。
【００１４】
リターン用リンク４は下方に回動したテーブルリンク３を再び上方に移動させるためのリンクで、上記固定ピン１３に係合可能に配置されている。リターン用リンク４は図示しないカムによって、側面のピン１４がベースプレート１０に形成された円弧溝１５に係合し、ベースプレート１０に支持された突軸１６を中心に上記ピン１４が円弧溝１５を移動する範囲で往復回動できるように形成されている。
【００１５】
次に、固定プレート５はベースプレート１０に形成された案内溝１７に係合する凸部１８を有するもので、下面は上記案内溝１７に対して前部が後部に比べてより離間するように斜めに形成されている。これにより、固定ピン１３に対し楔状にスライドすることができるようになっている。また、固定プレート５の前端にはピン１９が形成されている。
【００１６】
テーブル固定リンク６は中間部が屈曲し、上端には固定プレート５のピン１９に係合する割り溝が形成されている。下端の近傍にはピン２０が設けられ、下端はベースプレート１０に設けられた突軸２３を介して回動自在に設けられている。また、上記突軸２３の下端には固定プレート５を常時図３の時計方向に回動するように付勢するバネ２１が取りつけられている。
【００１７】
固定カム７は、ドライバ２を駆動する駆動軸２２と一体に固定され、上記テーブル固定リンク６のピン２０に係合している。
【００１８】
上記テーブルロック機構によれば、被綴り用紙ａを綴り台１の上にセットして電動ステープラのモータを作動させると、図４のように、テーブルリンク３が反時計方向に回転して下動し、そのテーブル８が被綴り用紙ａを強く押えるとともにリターン用リンク４が時計方向に回動してテーブルリンク３の回動を許容する。また、図５に示されるように、固定カム７も回動するが、そのときテーブル固定リンク６のピン２０は固定カム７の中心から近い方の外周面に係合するので、テーブル固定リンク６はバネの力により時計方向に回動するので、固定プレート５は案内溝１７に沿って楔状にスライド移動し、その下面はテーブルリンク３の固定ピン１３の上部に係合する。このため、テーブルリンク３はロック状態となり上動することはできない。このため、テーブル８が被綴り用紙ａを強く押える状態にロックされる。
【００１９】
次に、図６および図７はクリンチ機構を示すもので、上述のようにクリンチャリンク２５とクリンチレバー２６とクリンチカム２７とから構成されている。
【００２０】
クリンチャリンク２５は、前端にクリンチャ押圧部２８を有し、中間部はテーブルリンク３の中間部に設けられた軸２９に往復回動自在に支持され、後部には鈍角に屈曲した脚部３０が形成され、その後端には略下向きの係合部３１が形成されている。クリンチャリンク２５が図の反時計方向に回動したとき、クリンチャ押圧部２８は上記テーブルリンク３の可動クリンチャを押圧して作動するように構成されている。なお、上記軸２９はテーブルリンク３が回動するときに、上下方向に移動するので、クリンチャリンク２５もそれに伴なって全体が上下動する。
【００２１】
クリンチレバー２６は、ベースプレート１０の下部に設けられた支軸３２を中心に往復回動可能に設けられ、先端はやや円弧状に形成され、上記クリンチャリンク２５の係合部３１に係合可能に配置されている。また、クリンチレバー２６の略中央部には係合ピン３３が突出形成されている。
【００２２】
次に、クリンチカム２７は全体が扇形に形成された扇形カムで、基部はモータに連係する駆動軸に固定されている。そして、周縁の円弧部３４は上記クリンチレバー２６の係合ピン３３に係合している。
【００２３】
上記クリンチ機構によれば、上述のようにテーブルリンク３が下方に回動して被綴り用紙ａを押えたとき、クリンチャリンク２５は同時には回動せずに残っている。このとき、図８に示されるように、クリンチャリンク２５の脚部３０はクリンチレバー２６から外れた状態でクリンチカム２７からフリーになっている。次に、上述の紙押え状態のときに、図１１のように、下方からステープル打ち出し用ドライバ２が駆動され、ステープル１１が綴り台１から被綴り用紙ａに向かって打ち出され、ステープル１１の脚部１１ａは被綴り用紙ａを貫通してその裏側に突出する。その後、図９のように、回転したクリンチカム２７の円弧部３４がクリンチレバー２６の係合ピン３３を押し出すため、クリンチレバー２６が時計方向に回動し、その先端がクリンチャリンク２５の係合部３１に係合して押圧するので、クリンチャリンク２５が反時計方向に回動し、その押圧部２８が、紙押え状態にあったテーブルリンク３の可動クリンチャ１２を押圧して作動させる。これにより、図１１に示されるように、被綴り用紙ａを貫通したステープル１１の脚部１１ａが折り曲げられ、綴り作動が終了するので、固定カム７によって図５の状態にあった固定プレート５が引き抜かれて初期位置に移動し、テーブルリンク３も初期位置に復帰移動する。
【００２４】
ところで、図１１に示すように、ドライバ１１の先端とテーブルリンク３のテーブル８との間の間隔は、ドライバ１１が駆動されてステープルの脚部１１ａが貫通したときに比べ、可動クリンチャ１２が作動して上記脚部１１ａを折り曲げたときの方が、脚部１１ａの肉厚分だけ大きくなり、固定ピン１３の固定プレート５に対する圧接力が増大するので、この状態で固定プレート５を引き抜くためには大きな力を必要とする。このため、ドライバ１１からの押圧力を可動クリンチャ１２がまだ受けている状態で、可動クリンチャ１２を逃がすことで、クリンチャ１２のドライバ１１側に対する押圧力を一時的に軽減（解除でもよい）すると、ドライバ１１を押し上げている力が緩和されることから、ドライバ１１とクリンチャリンク２５との間には緩みが発生する。この緩み分だけステープル１１に対する締め量が減り、固定プレート５は引き抜きやすくなる。
【００２５】
そこで、上記クリンチレバー２６によるクリンチャリンク２５に対する押圧を一時的に軽減する押圧軽減手段が設けられている。この押圧軽減手段は上記クリンチカム２７の円弧部３４に形成された、クリンチレバー２６の係合ピン３３に対する逃がし部３５（凹部）によって構成されている。逃がし部３５は円弧部３４の端部から少しずれた部位に形成されている。クリンチレバー２６の係合ピン３３が逃がし部に係合したとき、クリンチレバー２６のクリンチャリンク２５に対する押圧は軽減されるようになっている。このタイミングで固定プレート５を引き抜くように設定されている。
【００２６】
上記構成において、図１２（ａ）に示されるように、上記円弧部３４の端部でクリンチレバー２６の係合ピン３３を押出してステープルの脚部の折り曲げをした直後に、同図（ｂ）に示すように、クリンチカム２７が回転してその凹部３５に上記係合ピン３３が対応する位置にくると、クリンチレバー２６の係合ピン３３は凹部３５に落ち込むから、図１０に示されるように、クリンチレバー２６は矢印のようにクリンチャリンク２５に対する押圧力が減少し、可動クリンチャ１２を押し上げてドライバ１１に対抗している力が減少するから、ドライバ１１とクリンチャリンク２５との間には緩みが発生する。この緩みによって軽減された分だけステープルに対する締め量が減るから、固定プレート５を簡単に引き抜いて初期位置に移動させることができる。
【００２７】
なお、押圧軽減手段は必ずしも扇形カムを利用したものに限定されない。たとえば、扇形カムの回転軸自体を逃がし方向に移動させてもよい。
【図面の簡単な説明】
【００２８】
【図１】テーブルロック機構とクリンチャ機構の概要を示す斜視図である。
【図２】テーブルロック機構の斜視図である。
【図３】作動前のテーブルロック機構の側面の説明図である。
【図４】紙押え時のテーブルロック機構の側面の説明図である。
【図５】テーブルロック時のテーブルロック機構の側面の説明図である。
【図６】クリンチャ機構の斜視図である。
【図７】作動前のクリンチャ機構の側面の説明図である。
【図８】クリンチ前のクリンチャ機構の側面の説明図である。
【図９】クリンチ時のテーブルロック機構の側面の説明図である。
【図１０】クリンチャリンクに緩みが生じた時の状態の説明図である。
【図１１】クリンチ機構の作動態様説明図である。
【図１２】（ａ）はクリンチ時のクリンチカムと係合ピンの位置関係説明図、（ｂ）は押圧軽減時の位置関係説明図である。
【符号の説明】
【００２９】
３  テーブルリンク
５  固定プレート
８  テーブル
１３  固定ピン
２５  クリンチャリンク
２６  クリンチレバー
２７  クリンチカム
３４  円弧部
３５  逃がし部
【図１】
2005059338.tif 000003
【図２】
2005059338.tif 000004
【図３】
2005059338.tif 000005
【図４】
2005059338.tif 000006
【図５】
2005059338.tif 000007
【図６】
2005059338.tif 000008
【図７】
2005059338.tif 000009
【図８】
2005059338.tif 000010
【図９】
2005059338.tif 000011
【図１０】
2005059338.tif 000012
【図１１】
2005059338.tif 000013
【図１２】
2005059338.tif 000014